(57)【要約】【課題】  本発明は、マスクを長時間使用しても、息苦しさや不快感を緩和することのできるマスク用支持具を提供する。【解決手段】  本発明は、マスク本体の上端部に取り付けられる取付部と、マスク本体に重なる状態でマスク本体の上下方向に延びる中心線を有し、使用者の鼻尖部と対向可能な鼻尖部対向領域を含む主要部と、取付部と主要部と繋ぐ接続部と、主要部から延出した一対の延出部であって、中心線を基準に対称に配置され、取付部がマスク本体の上端部に取り付けられた状態で、マスク本体に対して投影的に重なる一対の延出部とを備え、一対の延出部のそれぞれは、主要部に接続された第一端と、第一端の反対側の第二端とを有し、一対の延出部は、互いの第二端を間隔をあけて位置させ、マスク本体に重なる状態で第二端が終端よりもマスク本体の下端部側に位置するように形成される。【選択図】図２
2022001684.tif 000002
【特許請求の範囲】
【請求項１】
使用者に装着されるマスクのマスク本体であって、通気性を有するシート材によって構成され且つ使用者の顔の鼻及び口を一緒に覆うマスク本体の上端部に取り付けられる取付部と、取付部がマスク本体の上端部に取り付けられた状態でマスク本体に重なる主要部であって、マスク本体に重なる状態でマスク本体の上下方向に延びる中心線を有するとともに、使用者の鼻尖部と対向可能な鼻尖部対向領域を含む主要部と、取付部と主要部と繋ぐ接続部と、主要部から延出した一対の延出部であって、前記中心線を基準に対称又は略対称に配置され、取付部がマスク本体の上端部に取り付けられた状態で、それぞれがマスク本体に対して投影的に重なる一対の延出部とを備え、主要部は、接続部に接続された接続端と、接続端の反対側の終端とを有し、一対の延出部のそれぞれは、主要部に接続された第一端と、第一端の反対側の第二端とを有し、一対の延出部は、互いの第二端を前記中心線と直交する方向に間隔をあけて位置させ、マスク本体に対して投影的に重なる状態で第二端が主要部の終端よりもマスク本体の下端部側に位置するように形成されていることを特徴とするマスク用支持具。
【請求項２】
一対の延出部のそれぞれは、使用者がマスクを装着した状態で、第二端が主要部の終端よりも使用者の顔の頬側に位置するように形成されていることを特徴とする請求項１に記載のマスク用支持具。
【請求項３】
取付部、主要部、及び接続部のうち、少なくとも主要部は、少なくとも使用者がマスクを装着した状態で、主要部の中心線に沿った稜線をマスク本体と対向する側に有する山折り形状に形成されることを特徴とする請求項１又は請求項２に記載のマスク用支持具。
【請求項４】
主要部は、使用者がマスクを装着した状態で、終端が使用者の鼻尖部から離れた位置になるように形成されていることを特徴とする請求項１乃至３の何れか１項に記載のマスク用支持具。
【請求項５】
通気性を有するシート材によって構成され且つ使用者の顔の鼻及び口を一緒に覆うマスク本体と、マスク本体に取り付けられるマスク用支持具とを備え、マスク用支持具は、マスク本体の上端部に取り付けられる取付部と、取付部がマスク本体の上端部に取り付けられた状態でマスク本体に重なる主要部であって、マスク本体に重なる状態でマスク本体の上下方向に延びる中心線を有するとともに、使用者の鼻尖部と対向可能な鼻尖部対向領域を含む主要部と、取付部と主要部と繋ぐ接続部と、主要部から延出した一対の延出部であって、前記中心線を基準に対称又は略対称に配置され、取付部がマスク本体の上端部に取り付けられた状態で、それぞれがマスク本体に対して投影的に重なる一対の延出部とを備え、主要部は、接続部に接続された接続端と、接続端の反対側の終端とを有し、一対の延出部のそれぞれは、主要部に接続された第一端と、第一端の反対側の第二端とを有し、一対の延出部は、互いの第二端を前記中心線と直交する方向に間隔をあけて位置させ、マスク本体に対して投影的に重なる状態で第二端が主要部の終端よりもマスク本体の下端部側に位置するように形成されていることを特徴とするマスク。
【発明の詳細な説明】
【技術分野】
【０００１】  本発明は、鼻及び口を覆うマスク本体を支持するマスク用支持具、及び該マスク用支持具を備えたマスクに関する。
【背景技術】
【０００２】  従来から、ウィルス、花粉等の異物の侵入や飛沫拡散を防止するために、使用者の鼻及び口を覆うマスク本体を備えたマスクが提供されている。【０００３】  マスクには、使い捨てのマスクや、洗濯・消毒を行って繰り返し使用できるマスクがある。これらのマスクには、マスク本体がカップ状に立体成形されたものや、マスク本体が可撓性を有する不織布や生地等のシート材によって構成されたものがある。これまでは、この種のマスクは、花粉の季節や風邪の症状のあるとき等、限られたときに使用されていたが、最近においては、新型コロナウィルスの感染拡大防止の観点から、日常的に使用されている。【０００４】  このような日常的なマスクの使用により、息苦しさ等の不快感を覚える人も少なくない。特に、同じマスクを長時間使用していると、マスクのマスク本体が息（呼気）に含まれる湿気（水分）を含んでしまい、通気性が悪くなる。このようになると、何れのマスクも呼吸をし難くなるが、マスク本体がシート材によって構成されたマスクは、呼吸（吸引）に伴って、マスク本体が鼻や口に吸着し、呼吸が阻害される。【０００５】  このような状況を想定し、可撓性のあるマスク本体（シート材によって構成されたマスク本体）が使用者の呼吸を阻害することを抑制するためのマスク用補助具が提案されている（特許文献１、２）。【０００６】  具体的には、使用者の鼻の上に載置されるフレーム本体と、該フレーム本体の中央付近から使用者の口の上（前方）に延びた板状のマスク支持部とを有する補助具が提案されている（特許文献１参照）。【０００７】  かかる補助具によれば、フレーム本体及びマスク支持部が、使用者に装着されたマスクにおけるマスク本体の幅方向の中央部を支持する。これにより、使用者の口及び鼻に対するマスク本体の張り付きを防止でき、呼吸を楽にできるとしている。【０００８】  また、マスク本体の上部中央に着脱自在に取り付けられる上部固定部と、マスク本体の下部に着脱自在に取り付けられる下部固定部と、上部固定部と下部固定部との間隔を保持する保持部とを有する補助具が提案されている（特許文献２参照）。【０００９】  かかる補助具によれば、上部固定部と下部固定部との間にある保持部が、マスク本体における上部固定部の取り付けられた部分と、下部固定部の取り付けられた部分との間を支持する。すなわち、保持部が使用者の鼻及び口の前方でマスク本体を支持する。これにより、使用者の口及び鼻に対するマスク本体の張り付きを防止でき、呼吸を楽にできるとしている。
【先行技術文献】
【特許文献】
【００１０】
【特許文献１】特開２０１１−２４４８５８号公報
【特許文献２】実用新案登録第３２２１７９８号公報
【発明の概要】
【発明が解決しようとする課題】
【００１１】  しかしながら、これらの補助具は、マスク本体の幅方向の略中央部、すなわち、鼻及び口の前方で、マスク本体を支持するため、使用者の口及び鼻に対するマスク本体の張り付きを十分に防止することができない。【００１２】  具体的に説明すると、シート材で構成されたマスク本体を有するマスクは、様々な使用者の使用を想定し、それらの使用者が装着したときにマスク本体が顔に密着しない（顔から離れる）ように構成されている。すなわち、シート材で構成されたマスク本体を有するマスクにおいて、マスク本体は、装着時に緩みができるようにされている。特に、ブリーツ付きのマスク本体（シート材が襞状に折り返されたマスク本体）は、装着時に緩みが大きい。【００１３】  そのため、上記の何れの補助具においても、マスク本体の幅方向の略中央部（鼻及び口の前方）がマスク本体で支持された状態で、マスク本体の幅方向の中央部（支持された部分）の両側に緩みが生じる。このマスク本体の幅方向の中央部を境にした各領域は、マスク本体の略半分といった比較的広い領域であるため、上記のような緩みの程度が大きく、マスク本体の自由度（揺れ動き易さ）が大きくなる。【００１４】  従って、呼吸をしたとき、マスク本体の幅方向の中央部の両側が鼻や口側に大きく接近し、鼻（鼻孔）や口に張り付いてしまうことがある。特に、長期の使用により、マスク本体が湿気（水分）を含んでいると、マスク本体の通気性能が低下してしまい、鼻（鼻孔）や口に張り付く可能性が高くなる。従って、上記の何れの補助具においても、十分に息苦しさを解消することができない。【００１５】  また、これらの補助具は、鼻（鼻孔）及び口からマスク本体を離間させるべく、鼻及び口の前方に配置することを前提にしており、吐き出した息（呼気）が直接あたる。そのため、吐き出した息（呼気）がマスク本体を直接通過できない、或いは通過し難い。これに伴い、補助具に飛沫や水滴が付着したり、息の熱気や湿気（水分）がマスク本体と顔との間の空間で滞留したりするため、長時間使用すると不快感がある。【００１６】  そこで、本発明は、マスクを長時間使用しても、息苦しさや不快感を緩和することのできるマスク用支持具及びマスクを提供する。
【課題を解決するための手段】
【００１７】  本発明に係るマスク用支持具は、使用者に装着されるマスクのマスク本体であって、通気性を有するシート材によって構成され且つ使用者の顔の鼻及び口を一緒に覆うマスク本体の上端部に取り付けられる取付部と、取付部がマスク本体の上端部に取り付けられた状態でマスク本体に重なる主要部であって、マスク本体に重なる状態でマスク本体の上下方向に延びる中心線を有するとともに、使用者の鼻尖部と対向可能な鼻尖部対向領域を含む主要部と、取付部と主要部と繋ぐ接続部と、主要部から延出した一対の延出部であって、前記中心線を基準に対称又は略対称に配置され、取付部がマスク本体の上端部に取り付けられた状態で、それぞれがマスク本体に対して投影的に重なる一対の延出部とを備え、主要部は、接続部に接続された接続端と、接続端の反対側の終端とを有し、一対の延出部のそれぞれは、主要部に接続された第一端と、第一端の反対側の第二端とを有し、一対の延出部は、互いの第二端を前記中心線と直交する方向に間隔をあけて位置させ、マスク本体に対して投影的に重なる状態で第二端が主要部の終端よりもマスク本体の下端部側に位置するように形成されていることを特徴とする。【００１８】  本発明に係るマスク用支持具の一態様として、一対の延出部のそれぞれは、使用者がマスクを装着した状態で、第二端が主要部の終端よりも使用者の顔の頬側に位置するように形成されてもよい。【００１９】  本発明に係るマスク用支持具の他態様として、取付部、主要部、及び接続部のうち、少なくとも主要部は、少なくとも使用者がマスクを装着した状態で、主要部の中心線に沿った稜線をマスク本体と対向する側に有する山折り形状に形成されてもよい。【００２０】  本発明に係るマスク用支持具の別の態様として、主要部は、接続部に接続された接続端と、反対側の終端とを有し、使用者がマスクを装着した状態で、終端が使用者の鼻尖部から離れた位置になるように形成されてもよい。【００２１】  本発明のマスクは、通気性を有するシート材によって構成され且つ使用者の顔の鼻及び口を一緒に覆うマスク本体と、マスク本体に取り付けられるマスク用支持具とを備え、マスク用支持具は、マスク本体の上端部に取り付けられる取付部と、取付部がマスク本体の上端部に取り付けられた状態でマスク本体に重なる主要部であって、マスク本体に重なる状態でマスク本体の上下方向に延びる中心線を有するとともに、使用者の鼻尖部と対向可能な鼻尖部対向領域を含む主要部と、取付部と主要部と繋ぐ接続部と、主要部から延出した一対の延出部であって、前記中心線を基準に対称又は略対称に配置され、取付部がマスク本体の上端部に取り付けられた状態で、それぞれがマスク本体に対して投影的に重なる一対の延出部とを備え、主要部は、接続部に接続された接続端と、接続端の反対側の終端とを有し、一対の延出部のそれぞれは、互いの第二端を前記中心線と直交する方向に間隔をあけて位置させ、主要部に接続された第一端と、第一端の反対側の第二端とを有し、一対の延出部は、マスク本体に対して投影的に重なる状態で第二端が主要部の終端よりもマスク本体の下端部側に位置するように形成されていることを特徴とする。
【発明の効果】
【００２２】  本発明に係るマスク用支持具及びマスクは、マスクを長時間使用しても、息苦しさや不快感を緩和することができるといった優れた効果を奏する。
【図面の簡単な説明】
【００２３】
【図１】  図１は、本発明の一実施形態に係るマスク用支持具を取り付けるマスクの一例であって、該マスクの平面図である。
【図２】  図２は、本発明の一実施形態に係るマスク用支持具の平面図であって、マスクに取り付けた（重ね合わせた）状態の平面図である。
【図３】  図３は、同実施形態に係るマスク用支持具の平面図である。
【図４】  図４は、同実施形態に係るマスク用支持具の側面図である。
【図５】  図５は、同実施形態に係るマスク用支持具の使用状態図であって、使用者がマスク用支持具を取り付けたマスクを装着した状態図である。
【図６】  図６は、同実施形態に係るマスク用支持具の使用状態図であって、図５の矢視Ａの図である。
【図７】  図７は、本発明の他実施形態に係るマスク用支持具の側面である。
【図８】  図８は、マスク用支持具を取り付けるマスクの別の例であって、該マスクの平面図である。
【図９】  図９は、本発明の別の実施形態に係るマスク用支持具の側面図である。
【図１０】  図１０は、本発明のさらに別の実施形態に係るマスク用支持具の側面図である。
【図１１】  図１１は、本発明のさらに別の実施形態に係るマスク用支持具の平面図である。
【図１２】  図１２は、本発明のさらに別の実施形態に係るマスク用支持具の平面図である。
【図１３】  図１３は、本発明のさらに別の実施形態に係るマスク用支持具の平面図である。
【発明を実施するための形態】
【００２４】  以下、本発明の一実施形態に係るマスク用支持具について、図面を参照しつつ説明する。まず、本実施形態に係るマスク用支持具を取り付けるマスクの一例について概略説明する。
【００２５】  マスクは、図１に示す如く、通気性を有するシート材によって構成され且つ使用者の顔の鼻及び口を一緒に覆うマスク本体５０を有する。また、マスク５は、マスク本体５０が鼻及び口を覆った状態で維持するために、マスク本体５０の幅方向の両端に取り付けられた一対の掛止体５１，５１であって、使用者の耳に掛止させる一対の掛止体５１，５１とを備える。
【００２６】  ここで例示するマスク５において、マスク本体５０は、通気性を有する一枚の不織布又は二枚以上重ね合わされた不織布で構成される。図１に示すマスク本体５０は、不織布を複数箇所で折り返し、幅方向に延びる襞（採番しない）が上下方向に間隔をあけて複数形成されている。
【００２７】  マスク本体５０の上端部には、到着時に使用者の鼻の付け根又は鼻の付け根近傍にマスク本体５０（シート材）を添わせる保形材５２が取り付けられている。この保形材５２は、金属製の線材であり、いわゆる、ノーズワイヤーである。一対の掛止体５１は、伸縮自在な紐体で構成れる。ここでは、一対の掛止体５１のそれぞれは、ゴム紐で構成され、該ゴム紐の両端部がマスク本体５０の幅方向の端部に連結され、環状に形成されている。
【００２８】  なお、本実施形態の説明において、マスク本体５０の上端部及び下端部という用語を用いるが、マスク本体５０の上端部及び下端部とは、使用者がマスク５を装着したときの上下にある端部を意味する。すなわち、マスク本体５０の上端部は、使用者の鼻（鼻の付け根又は鼻の付け根近傍）の上に位置する部位を含む端部を言い、マスク本体５０の下端部は、使用者の顎又顎下の上に位置する部位を含む端部を言う。
【００２９】  マスク５の一例は、以上の通りであり、続いて、本実施形態に係るマスク用支持具について説明する。
【００３０】  本実施形態に係るマスク用支持具は、図２及び図３に示す如く、マスク本体５０の上端部に取り付けられる取付部１０と、取付部１０がマスク本体５０の上端部に取り付けられた状態でマスク本体５０に重なる主要部１１であって、マスク本体５０に重なる状態でマスク本体５０の上下方向に延びる中心線ＣＬを有するとともに、使用者の鼻尖部ＮＥ（図５及び図６参照）と対向可能な鼻尖部対向領域ＮＡを含む主要部１１と、取付部１０と主要部１１と繋ぐ接続部１２と、主要部１１から延出した一対の延出部１３，１３であって、前記中心線ＣＬを基準に対称又は略対称に配置され、取付部１０がマスク本体５０の上端部に取り付けられた状態で、それぞれがマスク本体１０に対して投影的に重なる一対の延出部１３，１３とを備える。
【００３１】  本実施形態において、取付部１０は、マスク本体５０に重ね合わせた状態で取り付けられる。取付部１０は、マスク本体１０に重ね合わせる方向から見て、一方向に長手をなす長方形状に形成される。この取付部１０は、長手をマスク本体５０の幅方向に合わせ、マスク本体５０に重ね合わされる。取付部１０は、使用者の鼻の付け根又は鼻の付け根近傍に沿わせるマスク本体５０の上端部（保形材５２：ノーズワイヤーのある部分）に取り付けられるため、マスク本体５０の形状に即して変形可能である。
【００３２】  これに伴い、本実施形態に係るマスク用支持具１は、図３及び図４に示す如く、取付部１０をマスク本体５０の上端部に固定するための粘着体１４を有する。粘着体１４は、取付部１０のマスク本体５０に対向する一方の面に積層される。本実施形態において、粘着体１４には、両面粘着テープが採用されている。
【００３３】  主要部１１は、図３に示す如く、接続部１２に接続された接続端１１ａと、接続端１１ａの反対側の終端１１ｂとを有する。上述の如く、主要部１１は、使用者の鼻尖部ＮＥと対向可能な鼻尖部対向領域ＮＡを含む。鼻尖部対向領域ＮＡは、使用者の鼻尖部ＮＥの全体又は一部に対向可能に構成され、本実施形態において、鼻尖部対向領域ＮＡは、使用者の鼻尖部ＮＥの略全体に対向可能である。主要部１１は、鼻尖部対向領域ＮＡ以上の大きさに形成される。すなわち、主要部１１は、鼻尖部対向領域ＮＡと同サイズ、又は鼻尖部対向領域ＮＡよりも大きなサイズに形成される。
【００３４】  図５に示す如く、主要部１１は、使用者がマスク１を装着した状態で、終端１１ｂが使用者の鼻尖部ＮＥから離れた位置になるように形成されている。鼻尖部ＮＥは、丸みを帯びているため、終端１１ｂが使用者の鼻尖部ＮＥの端（主要部１１が重なる方向から投影的に見た端）と一致していても、鼻尖部ＮＥの端よりも外側に位置していても、鼻尖部対向領域ＮＡを通る主要部１１の中心線ＣＬの延長線上に終端１１ｂがあれば、使用者がマスク１を装着した状態で、終端１１ｂが使用者の鼻尖部ＮＥから離れた位置になる。本実施形態において、主要部１１は、中心線ＣＬの延びる方向において、鼻尖部対向領域ＮＡよりも僅かに大きなサイズに形成され、終端１１ｂが使用者の鼻尖部ＮＥよりも僅かに外側に位置している。
【００３５】  図３に戻り、接続部１２は、一方向の幅が取付部１０の一方向（長手）の長さよりも狭く設定され、一方向（幅方向）の中央を、取付部１０の一方向（長手）の中央に合わせた状態、取付部１０に接続されている。
【００３６】  一対の延出部１３，１３のそれぞれは、図２に示す如く、マスク本体５０に対して投影的に重なる。ここで「投影的に重なる」とは、マスク本体５０に重なる方向から見て、マスク本体５０の存在する範囲内に位置することを意味し、マスク本体５０に対して直接（接触する態様で）重なる他、マスク本体５０に対して離れた状態で重なることを含む。
【００３７】  本実施形態において、一対の延出部１３，１３は、マスク本体５０に対して直接（接触する態様で）重なる。一対の延出部１３，１３のそれぞれは、図３に示す如く、主要部１１に接続された第一端１３ａと、第一端１３ａの反対側の第二端１３ｂとを有する。一対の延出部１３，１３は、図２に示す如く、互いの第二端１３ｂ、１３ｂを主要部１１の中心線ＣＬと直交する方向に間隔をあけて位置させ、マスク本体５０に対して投影的に重なる状態で第二端１３ｂが主要部１１の終端１１ｂよりもマスク本体５０の下端部側に位置するように形成されている。
【００３８】  一対の延出部１３，１３のそれぞれは、図５に示す如く、少なくとも使用者がマスク５を装着した状態で、第二端１３ｂを主要部１１よりも使用者の顔の頬側に位置させるようになっている。
【００３９】  図３に戻り、取付部１０、接続部１２及び主要部１１は、一枚のシート材で構成されている。本実施形態においては、取付部１０、接続部１２及び主要部１１とともに、一対の延出部１３，１３も一枚のシート材で構成されている。すなわち、本実施形態に係るマスク用支持具１は、一枚のシート材を打ち抜き加工することで作製される。これにより、本実施形態において、取付部１０、接続部１２、主要部１１、及び一対の延出部１３，１３が連続的（一体的）に形成されている。
【００４０】  取付部１０、接続部１２、主要部１１、及び一対の延出部１３，１３を作るためのシート材（打ち抜き加工するシート材）は、厚紙や樹脂シートを採用することができる。なお、樹脂シートとは、薄板状のものも含まれる。マスク用支持具１を使い捨てにする場合、シート材には、厚紙や樹脂シートを採用することができ、マスク用支持具１を繰り返し使用可能にする場合、シート材には、洗浄可能な樹脂シートを採用することができる。
【００４１】  マスク用支持具１を作製するシート材には、折り曲げ可能なものが採用されるが、マスク本体５０を支持するために、厚み方向で弾性を有するものが採用される。一対の延出部１３，１３は、シート材で構成されるに伴い、第一端１３ａ側の強度を担保するために、第二端１３ｂ側よりも第一端１３ａ側が幅広になっている。
【００４２】  本実施形態において、取付部１０、接続部１２及び主要部１１は、一枚のシート材で構成される。図６に示す如く、使用時において、取付部１０、接続部１２及び主要部１１は、主要部１１の中心線ＣＬに沿った稜線をマスク本体５０と対向する側に有する山折り形状にされる。すなわち、本実施形態に係るマスク用支持具１は、使用するまで、取付部１０、接続部１２、主要部１１、及び一対の延出部１３，１３が平面的に配置される。
【００４３】  本実施形態に係るマスク用支持具１は、以上の通りであり、使用時において、図２に示す如く、取付部１０の一方向（長手）の中央部をマスク本体５０の上端部の幅方向の中央部に合わせるようにして、取付部１０をマスク本体５０の上端部に取り付けられる。本実施形態では、粘着体１４で取付部１０をマスク本体５０に固定するため、粘着体１４をマスク本体５０側に向けて取付部１０をマスク本体５０の上端部に重ねる。これにより、マスク用支持具１全体がマスク５（マスク本体５０）に取り付けられる。
【００４４】  この状態で、マスク用支持具１（取付部１０、接続部１２及び主要部１１）は、主要部１１の中心線ＣＬに沿って山折りにされる。なお、ここでは取付部１０をマスク本体５０の上端部に取り付けた後に、マスク用支持具１（取付部１０、接続部１２及び主要部１１）を山折りにしているが、取付部１０をマスク本体５０の上端部に取り付ける前に、マスク用支持具１（取付部１０、接続部１２及び主要部１１）を山折りにしてもよい。
【００４５】  この状態で使用者がマスク５を装着すると、図５に示す如く、主要部１１の鼻尖部対向領域ＮＡが使用者の鼻尖部ＮＥと対向する。本実施形態においては、取付部１０、接続部１２、及び主要部１１が一列に並んでいるため、これらが使用者の鼻の付け根又は鼻の付け根近傍から鼻尖部ＮＥまでに対向する。本実施形態では、接続部１２が山折りにされることで、接続部１２の曲げ剛性が高まっているため、接続部１２が主要部１１を適正な位置で維持させる。また、主要部１１が山折り形状になることで、鼻尖部ＮＥに安定的に載る（接触）し、マスク用支持具１全体が位置決めされる。
【００４６】  この状態で、一対の延出部１３，１３のそれぞれは、図５及び図６に示す如く、第二端１３ｂを主要部１１の終端１１ｂよりもマスク本体５０の下端部側に位置させるとともに、主要部１１の終端１１ｂよりも使用者の顔の頬側に位置させる。また、主要部１１の終端１１ｂが使用者の鼻尖部ＮＥから離れた位置になる。
【００４７】  本実施形態おいて、主要部１１を山折り形状にし、主要部１１の中心線ＣＬの両側が使用者の頬に接近しすぎたとしても、図６に示す如く、マスク５の装着に伴って、主要部１１（鼻尖部対向領域ＮＡ）が使用者の鼻Ｎ（鼻尖部ＮＥ）に当たることで、主要部１１の中心線ＣＬの両側が使用者の鼻Ｎ（鼻尖部ＮＥ）の大きさや形状にあった姿勢になり、延出部１３，１３の第二端１３ｂが使用者の顔（頬）に当たらない位置或いは当たりにくい位置に配置される。
【００４８】  これにより、主要部１１の終端１１ｂと、一対の延出部１３，１３のそれぞれの全体又は一部がマスク本体５０を支持する。また、主要部１１及び接続部１２もマスク本体５０を支持する。そして、一対の延出部１３，１３は、使用者の鼻尖部ＮＥと対向する主要部１１の両側に延出し、第二端１３ｂを主要部１１よりもマスク本体５０の下端部側に位置させるため、使用者の鼻Ｎ（鼻孔）及び口Ｍを躱した位置に存在する。
【００４９】  このようにすることで、口Ｍ及び鼻Ｎを覆うマスク本体５０を、直線状に並ばない複数の部分であって、鼻Ｎ（鼻孔）や口Ｍによる呼吸時に吸引され易い複数の部分で支持するため、マスク本体５０が鼻Ｎ（鼻孔）や口Ｍに張り付くことが効果的に抑制される。さらに、一対の延出部１３，１３が使用者の鼻Ｎ及び口Ｍを躱した位置に存在するため、吐き出した息（呼気）がマスク用支持具１に直接あたることがなく、吐き出した息（呼気）がマスク本体５０を直接通過できる。これにより、息（呼気）の熱気や湿気（水分）がマスク本体５０と顔との間の空間で滞留することを緩和でき、長時間使用しても快適である。
【００５０】  以上のように、本実施形態に係るマスク用支持具１は、使用者に装着されるマスク５のマスク本体５０であって、通気性を有するシート材によって構成され且つ使用者の顔の鼻Ｎ及び口Ｍを一緒に覆うマスク本体５０の上端部に取り付けられる取付部１０と、取付部１０がマスク本体５０の上端部に取り付けられた状態でマスク本体５０に重なる主要部１１であって、マスク本体５０に重なる状態でマスク本体５０の上下方向に延びる中心線ＣＬを有するとともに、使用者の鼻尖部ＮＥと対向可能な鼻尖部対向領域ＮＡを含む主要部１１と、取付部１０と主要部１１と繋ぐ接続部１２と、主要部１１から延出した一対の延出部１３，１３であって、前記中心線ＣＬを基準に対称又は略対称に配置され、取付部１０がマスク本体５０の上端部に取り付けられた状態で、それぞれがマスク本体５０に対して投影的に重なる一対の延出部１３，１３とを備え、主要部１１は、接続部１２に接続された接続端１１ａと、接続端１１ａの反対側の終端１１ｂとを有し、一対の延出部１３，１３のそれぞれは、主要部１１に接続された第一端１３ａと、第一端１３ａの反対側の第二端１３ｂとを有し、一対の延出部１３，１３は、互いの第二端１３ｂ、１３ｂを前記中心線ＣＬと直交する方向に間隔をあけて位置させ、マスク本体５０に対して投影的に重なる状態で第二端１３ｂが主要部１１の終端１１ｂよりもマスク本体５０の下端部側に位置するように形成されている。
【００５１】  上記構成によれば、主要部１１の終端１１ｂと、一対の延出部１３，１３のそれぞれの全体又は一部がマスク本体５０を支持する。また、主要部１１及び接続部１２もマスク本体５０を支持する。そして、一対の延出部１３，１３は、使用者の鼻尖部ＮＥと対向する鼻尖部対向領域ＮＡを含む主要部１１の両側に延出し、第二端１３ｂを主要部１１の終端１１ｂよりもマスク本体５０の下端部側に位置させるため、使用者の鼻Ｎ（鼻孔）及び口Ｍを躱した位置に存在する。
【００５２】  このようにすることで、口Ｍ及び鼻Ｎを覆うマスク本体５０を、直線状に並ばない複数の部分であって、鼻Ｎ（鼻孔）や口Ｍによる呼吸時に吸引され易い複数の部分で支持するため、マスク本体５０が鼻Ｎ（鼻孔）や口Ｍに張り付くことが効果的に抑制される。さらに、一対の延出部１３，１３が使用者の鼻Ｎ及び口Ｍを躱した位置に存在するため、吐き出した息（呼気）がマスク用支持具１に直接あたることがなく、吐き出した息（呼気）がマスク本体５０を直接通過できる。これにより、息の熱気や湿気（水分）がマスク本体５０と顔との間の空間で滞留することを緩和でき、マスク５を長時間使用しても快適である。
【００５３】  従って、本実施形態に係るマスク用支持具１は、マスク５を長時間使用しても、息苦しさや不快感を緩和することができるといった優れた効果を奏する。
【００５４】  また、本実施形態において、一対の延出部１３，１３のそれぞれは、使用者がマスク５を装着した状態で、第二端１３ｂが主要部１１の終端１１ｂよりも使用者の顔の頬側に位置するように形成されている。このようにすれば、使用者の口Ｍの両側で、使用者の顔から離れすぎた位置でマスク本体５０を支持しないため、マスク本体５０を引っ張りすぎない。これにより、マスク用支持具１を用いることによるマスク５の装着時の不快感を抑制しつつ、マスク５を長時間使用しても、息苦しさや不快感を緩和することができる。
【００５５】  さらに、本実施形態において、取付部１０、主要部１１、及び接続部１２のうち、少なくとも主要部１１は、少なくとも使用者がマスク５を装着した状態で、主要部１１の中心線にＣＬ沿った稜線をマスク本体５０と対向する側に有する山折り形状に形成される。このようにすれば、鼻Ｎ（鼻尖部ＮＥ）に主要部１１が嵌り込んだ状態となり、マスク用支持具１全体を安定的に位置決めできる。また、本実施形態においては、シート材を折り曲げて山折り形状にするため、主要部１１が使用者の鼻Ｎに当たることで、主要部１１の中心線ＣＬの両側が使用者の鼻Ｎの大きさや形状にあった姿勢になる。さらに、延出部１３，１３の第二端１３ｂが使用者の顔（頬）に当たらない位置或いは当たりにくい位置に配置され、マスク用支持具１を用いることによるマスク５の装着時の不快感を抑制しつつ、マスク５を長時間使用しても、息苦しさや不快感を緩和することができる。
【００５６】  さらに、本実施形態において、主要部１１は、使用者がマスク５を装着した状態で、終端１１ｂが使用者の鼻尖部ＮＥから離れた位置になるように形成されている。このようにすれば、使用者の鼻尖部ＮＥにマスク本体５０が直接当たることなく、該主要部１１の終端１１ｂを中心に、マスク本体５０を放射状に支持できる。これにより、マスク本体５０が複数の領域に分断された状態で支持される。従って、マスク本体５０の緩みが少なくなり、口Ｍや鼻Ｎに対するマスク本体５０の張り付きをより確実に抑制することができる。
【００５７】  なお、本発明は、上記実施形態に限定されるものではなく、本発明の要旨を逸脱しない範囲において、適宜変更を加え得ることは勿論である。
【００５８】  上記実施形態において、平面的な取付部１０、接続部１２、及び主要部１１を山折り形状に折り曲げることを前提としたが、使用時に取付部１０、接続部１２、及び主要部１１を山折り形状とする場合、取付部１０、接続部１２、及び主要部１１を予め山折り形状に成形しておいてもよい。
【００５９】  上記実施形態において、取付部１０は、マスク本体５０の上端部の一方の面のみに重ねるようにしたが、これに限定されるものではない。例えば、図７に示すように、取付部１０は、上端にターン部Ｔを形成するように、折り返し形状にされてもよい。このようにすれば、取付部１０は、マスク本体５０の両面と対向し、マスク本体５０の上端部に掛止状態で取り付けることができる。この場合においても、取付部１０のマスク本体５０と対向する面に粘着体１４を積層してもよい。
【００６０】  上記実施形態において、取付部１０に積層される粘着体１４として、両面粘着テープが採用されたが、これに限定されない。取付部１０に粘着体１４を積層する場合、粘着体１４は、ゲル状又は液状の接着剤であってもよい。
【００６１】  上記実施形態において、シート材としての不織布で構成されたマスク本体５０を備えたマスク５を一例に説明したが、マスク５は、これに限定されない。シート材として通気性のある生地（例えば、ガーゼ生地や綿生地等の織生地）で構成されたマスク本体５０を備えたマスク５であってもよい。例えば、図８に示すように、通気性のある生地を二重以上に重ね合わせたマスク本体５０と、マスク本体５０の上端部に固定された紐体５４であって、マスク本体５０の幅方向の両側から延出する紐体５４とを備えたマスク５であってもよい。この種のマスク５は、剣道界では「面マスク」と称されるものであり、本発明に係るマスク用支持具１を用いることで、稽古中におけるマスク本体５０の密着による不快感や息苦しさを緩和することができる。
【００６２】  上記実施形態において、取付部１０は、マスク本体５０の上端部の一方の面のみに重ねる前提で、単層の取付部１０に粘着層を積層し、この変形例として、図７に示すような、取付部１０そのものを折り返し形状にしたが、これに限定されない。例えば、図９に示す如く、単層の取付部１０に、Ｕ字状（折り返し形状）のフック部材１５を固定してもよい。このようにしても、図７に示すものと同じ効果を奏する。また、図１０に示す如く、マスク本体５０（生地）を両側から挟み込む対向部１６ａ，１６ａと、マスク本体５０を介して互いに係合する係合部１６ｂとを有する固定部材１６を、取付部１０に固定してもよい。また別の態様として、弾性で開閉するクリップを取付部１０に固定してもよい。
【００６３】  上記実施形態において、取付部１０と主要部１１との間隔は、取り付けるマスク５のサイズに応じて適宜変更可能であり、図１１に示す如く、取付部１０と主要部１１との間隔を広げてもよい。
【００６４】  上記実施形態において、取付部１０、主要部１１、接続部１２、及び一対の延出部１３，１３が、シート材を打ち抜き加工されることで一体に形成されたが、これに限定されない。例えば、図１２に示す如く、主要部１１、接続部１２、及び一対の延出部１３，１３が棒材で構成されてもよい。また、棒材に代えてバネ材（板バネやコイルバネ等）で構成されてもよい。
【００６５】  上記実施形態において、取付部１０を長方形状に形成し、マスク本体５０に取り付けるときに、マスク本体５０の幅方向の中央部と取付部１０の中央部とを合わせ、取付部１０も山折り形状にされたが、これに限定されない。例えば、図１３に示す如く、取付部１０は、間隔をあけて一対設けられ、マスク本体５０に取り付けるときに、一対の取付部１０の間にある中間位置をマスク本体５０の中央部を合わせるようにしてもよい。
【００６６】  この場合においても、各取付部１０には、粘着体１４やフックが取り付けられたり、各取付部１０が折り返し形状にされたりしても勿論よい。なお、この場合、接続部１２は、主要部１１から各取付部１０に向けて二つに分岐した形状にされる。
【００６７】  上記実施形態において、マスク５を装着する前に主要部１１等を山折り形状に曲げることを前提としたが、これに限定されない。例えば、主要部１１等を曲げないまま（平らな状態のまま）マスク５を装着し、このマスク５の装着によって、マスク本体５０がマスク用支持具１を押すことで、マスク用支持具１を自然に湾曲（変形）させるようにしてもよい。
【００６８】  上記実施形態では、特に言及しなかったが、取付部１０は、鼻Ｎの付け根又は鼻Ｎの付け根近傍に沿わせるマスク本体５０の上端部の変形に対応できるように、他の部位よりも変形しやすく構成されてもよい。
【００６９】  上記実施形態では言及しなかったが主要部１１がシート材で構成される場合、少なくとも主要部１１に対して中心線ＣＬに沿ったハーフカット等の折り曲げ罫線を設けてもよい。接続部１２や取付部１０がシート材で構成される場合には、主要部１１の折り曲げ罫線を延長し、接続部１２や取付部１０にも折り曲げ罫線を設けてもよい。
【００７０】  上記実施形態では、取付部１０、主要部１１、接続部１２、及び一対の延出部１３，１３を同一素材で一体に形成したが、これに限定されない。これらの一部又は全部が別体で成形され、それらを連結したものであってもよい。これに伴い、これらの一部又は全部が異なる素材であってもよい。
【００７１】  上記実施形態では、特に言及しなかったが、主要部１１、接続部１２、及び取付部１０は、使用者の鼻Ｎに対向し、それらの一部又は全部が使用者の鼻Ｎに接触するため、これらの使用者の顔側にある面に吸湿性のある素材を積層してもよい。
【００７２】  上記実施形態では言及しなかったが、接続部１２の少なくとも一部が変形自在に構成されてもよい。このようにすれば、主要部１１と使用者の鼻Ｎとの接触によって力が作用したときに、接続部１２の少なくとも一部が変形する。これにより、主要部１１が使用者の鼻Ｎを強く押すことがなく、主要部１１が使用者の鼻Ｎに接触しても違和感を覚えることを軽減できる。接続部１２を折り曲げ可能にするには、接続部１２の少なくとも一部を、変形し易い素材で構成してもよいし、幅を狭く（断面を小さく）してもよい。
【００７３】  上記実施形態において、取付部１０の幅（一方向の長さ）を接続部１２の幅よりも広くしたが、これに限定されない。マスク本体５０に対する取り付け（固定）ができれば、取付部１０の幅を接続部１２と同じ幅にしてもよいし、取付部１０の幅を接続部１２の幅よりも狭くしてもよい。
【００７４】  上記実施形態において、既製のマスク５に取り付けて使用するマスク用支持具１について、説明したが、これに限定されない。例えば、マスク本体５０にマスク用支持具１を取り付けたマスク５であってもよい。
【００７５】  すなわち、マスク５は、通気性を有するシート材によって構成され且つ使用者の顔の鼻Ｎ及び口Ｍを一緒に覆うマスク本体５０と、マスク本体５０に取り付けられるマスク用支持具１とを備え、マスク用支持具１は、マスク本体５０の上端部に取り付けられる取付部１０と、取付部１０がマスク本体５０の上端部に取り付けられた状態でマスク本体５０に重なる主要部１１であって、マスク本体５０に重なる状態でマスク本体５０の上下方向に延びる中心線ＣＬを有するとともに、使用者の鼻尖部ＮＥと対向可能な鼻尖部対向領域ＮＡを含む主要部１１と、取付部１０と主要部１１と繋ぐ接続部１２と、主要部１１から延出した一対の延出部１３，１３であって、前記中心線ＣＬを基準に対称又は略対称に配置され、取付部１０がマスク本体５０の上端部に取り付けられた状態で、それぞれがマスク本体５０に対して投影的に重なる一対の延出部１３，１３とを備え、主要部１１は、接続部１２に接続された接続端１１ａと、接続端１１ａの反対側の終端１１ｂとを有し、一対の延出部１３，１３のそれぞれは、主要部１１に接続された第一端１３ａと、第一端１３ａの反対側の第二端１３ｂとを有し、一対の延出部１３，１３は、互いの第二端１３ｂ、１３ｂを前記中心線ＣＬと直交する方向に間隔をあけて位置させ、マスク本体５０に対して投影的に重なる状態で第二端１３ｂが主要部１１の終端１１ｂよりもマスク本体５０の下端部側に位置するように形成されているものであってもよい。このようにしても、マスク５の備えるマスク用支持具１は、上記実施形態と同じであるため、上記実施形態と同一の効果を奏する。
【符号の説明】
【００７６】  １…マスク用支持具、５…マスク、１０…取付部、１１…主要部、１１ａ…接続端、１１ｂ…終端、１２…接続部、１３…延出部、１３ａ…第一端、１３ｂ…第二端、１４…粘着体、１５…フック部材、１６…固定部材、１６ａ…対向部、１６ｂ…係合部、５０…マスク本体、５１…掛止体、５２…保形材、５４…紐体、ＣＬ…中心線、Ｍ…口、Ｎ…鼻、Ｔ…ターン部、ＮＥ…鼻尖部、ＮＡ…鼻尖部対向領域
【図１】
2022001684.tif 000003
【図２】
2022001684.tif 000004
【図３】
2022001684.tif 000005
【図４】
2022001684.tif 000006
【図５】
2022001684.tif 000007
【図６】
2022001684.tif 000008
【図７】
2022001684.tif 000009
【図８】
2022001684.tif 000010
【図９】
2022001684.tif 000011
【図１０】
2022001684.tif 000012
【図１１】
2022001684.tif 000013
【図１２】
2022001684.tif 000014
【図１３】
2022001684.tif 000015